(57)【要約】  本発明の種々の実施例は、デジタル・コンテンツのイベントによる編成に関し、該デジタル・コンテンツ・レコードの検索がユーザにとって有意義且つ論理的に達成されるようにする。これに関し、イベントは、少なくとも、例えば時間範囲、地理的領域、デジタル・コンテンツの取得者又はデジタル・コンテンツの被写体のようなイベント境界により定められてよい。イベント境界と合致すると見なされうるデジタル・コンテンツは、イベントと関連付けられ、アクセス及び検索のために利用可能にされてよい。
2010528352.tif 000002
【特許請求の範囲】
【請求項１】
少なくともコンピュータ・システムの一部により実施される方法であって：
当該方法は、デジタル・コンテンツ・レコードを編成し、
少なくとも幾つかのデジタル・コンテンツ・レコードは少なくともキャプチャ日時、キャプチャ場所又はキャプチャ日時及びキャプチャ場所を識別する関連付けられたメタデータを有し、少なくとも１つの該デジタル・コンテンツ・レコードは少なくともキャプチャ日時を識別する関連付けられたメタデータを有し、少なくとも１つの該デジタル・コンテンツ・レコードはキャプチャ場所を識別する関連付けられたメタデータを有する複数の該デジタル・コンテンツ・レコードを受信する段階；
少なくとも時間範囲及び地理的領域と関連付けられた一式のイベント境界を少なくとも識別することにより、イベントを定める段階：
少なくとも幾つかのデジタル・コンテンツ・レコードはメタデータ条件を満たすのでイベント・コンテンツ・レコードとして識別され、該メタデータ条件は対応するデジタル・コンテンツ・レコードのキャプチャ日時メタデータ及びキャプチャ場所メタデータがそれぞれ時間範囲及び地理的領域の範囲内のキャプチャ日時及びキャプチャ場所を識別することを有する、前記複数のデジタル・コンテンツ・レコードのうちの幾つかのデジタル・コンテンツ・レコードをイベントに関連付けられるべき（「イベント・コンテンツ・レコード」）と識別する段階；
少なくとも幾つかの前記イベント・コンテンツ・レコードを前記イベントと関連付ける（「関連付けられたイベント・コンテンツ・レコード」）段階；及び
前記少なくとも幾つかのイベント・コンテンツ・レコードの前記イベントとの関連を識別する情報をコンピュータ・アクセス可能なメモリ・システムに格納する段階；
を有する方法。
【請求項２】
少なくとも２つの前記デジタル・コンテンツ・レコードは、キャプチャ日時を識別する関連付けられたメタデータを有し、
少なくとも２つのデジタル・コンテンツ・レコードは、キャプチャ場所を識別する関連付けられたメタデータを有する、
ことを特徴とする請求項１記載の方法。
【請求項３】
前記一式のイベント境界は、少なくともユーザ入力に基づき識別される、
ことを特徴とする請求項１記載の方法。
【請求項４】
前記一式のイベント境界は、少なくとも前記デジタル・コンテンツ・レコードと関連付けられたメタデータの検査に基づき識別される、
ことを特徴とする請求項１記載の方法。
【請求項５】
前記時間範囲は、前記デジタル・コンテンツ・レコードに関連付けられた前記キャプチャ日時メタデータにより識別された全てのキャプチャ日時を含む、
ことを特徴とする請求項４記載の方法。
【請求項６】
前記地理的領域は、前記デジタル・コンテンツ・レコードに関連付けられた前記キャプチャ場所メタデータにより識別された全てのキャプチャ場所を含む、
ことを特徴とする請求項４記載の方法。
【請求項７】
全てのデジタル・コンテンツ・レコードがキャプチャ場所メタデータに関連付けられているのではなく、
前記地理的領域は、該メタデータを有するデジタル・コンテンツ・レコードと関連付けられたキャプチャ場所メタデータに少なくとも基づき識別される、
ことを特徴とする請求項１記載の方法。
【請求項８】
全てのデジタル・コンテンツ・レコードがキャプチャ日時メタデータに関連付けられているのではなく、
前記時間範囲は、該メタデータを有するデジタル・コンテンツ・レコードと関連付けられたキャプチャ日時メタデータに少なくとも基づき決定される、
ことを特徴とする請求項１記載の方法。
【請求項９】
前記複数のデジタル・コンテンツ・レコードが許可された情報源に由来することを検証する段階；
を更に有する請求項１記載の方法。
【請求項１０】
許可された情報源は、デジタル・コンテンツ・レコードを取得した人を含む、
ことを特徴とする請求項９記載の方法。
【請求項１１】
一式の許可された情報源を識別するユーザ入力を受信する段階；
を更に有し、
前記検証する段階は、前記複数のデジタル・コンテンツ・レコードが前記一式の許可された情報源の中の１つの許可された情報源に由来することを検証することを含む、
ことを特徴とする請求項９記載の方法。
【請求項１２】
前記検証する段階は、前記複数のデジタル・コンテンツ・レコードと関連付けられた少なくとも幾つかの前記メタデータが前記イベント境界の範囲内のキャプチャ日時及びキャプチャ場所を記述しているかを検証する、
ことを特徴とする請求項９記載の方法。
【請求項１３】
少なくとも幾つかの前記デジタル・コンテンツ・レコードに関連付けられた前記メタデータは前記対応するデジタル・コンテンツ・レコードの情報源を識別し、
前記メタデータ条件は、前記情報源メタデータが許可された情報源を識別することを有する、
ことを特徴とする請求項１記載の方法。
【請求項１４】
前記情報源メタデータは、前記対応するデジタル・コンテンツ・レコードを取得した人を識別する、
ことを特徴とする請求項１３記載の方法。
【請求項１５】
一式の許可された情報源を識別するユーザ入力を受信する段階；
を更に有し、
前記メタデータ条件は、前記情報源メタデータが前記一式の許可された情報源から１つの許可された情報源を識別することを有する、ことを特徴とする請求項１３記載の方法。
【請求項１６】
少なくとも１つの前記関連付けられたイベント・コンテンツ・レコードの要求を受信する段階；
該要求に応答して、前記コンピュータ・アクセス可能なメモリ・システムから前記の要求された関連付けられたイベント・コンテンツ・レコードを検索する段階；及び
前記要求に応答して、要求された画像レコードを送信する段階；
を更に有する請求項１記載の方法。
【請求項１７】
前記要求は、該要求を提出する要求者の識別情報を有し、
当該方法は：
前記送信する段階を実行する前に、前記要求者が前記要求された画像レコードを受信することを許可されていることを検証する段階；
を更に有する請求項１６記載の方法。
【請求項１８】
前記送信する段階を実行する前に、前記要求された画像レコードの料金が支払われていることを検証する段階；
を更に有する請求項１６記載の方法。
【請求項１９】
少なくとも幾つかの追加デジタル・コンテンツ・レコードは少なくとも１つのキャプチャ日時、キャプチャ場所又はキャプチャ日時及びキャプチャ場所を識別する関連付けられたメタデータを有し、該追加デジタル・コンテンツ・レコードを受信する段階；及び
該追加デジタル・コンテンツ・レコードに関連付けられたメタデータに少なくとも基づき、前記一式のイベント境界を修正する段階；
を更に有する請求項１記載の方法。
【請求項２０】
前記複数のデジタル・コンテンツ・レコードは第１のユーザから受信され、
前記追加デジタル・コンテンツ・レコードは第２のユーザから受信される、
ことを特徴とする請求項１９記載の方法。
【請求項２１】
前記受信する段階は、
前記複数のデジタル・コンテンツ・レコードを第１のユーザから受信する段階；及び
前記追加デジタル・コンテンツ・レコードを第２のユーザから受信する段階；
を有する請求項１記載の方法。
【請求項２２】
前記一式のイベント境界は、１又は複数のデジタル・コンテンツ・レコードの取得者を更に有し、
前記少なくとも幾つかのデジタル・コンテンツ・レコードに関連付けられたメタデータは、前記対応するデジタル・コンテンツ・レコードの撮影者の識別情報を更に有し、
前記メタデータ条件は、前記の撮影者メタデータが撮影者イベント境界の範囲内にある撮影者を識別することを有する、
ことを特徴とする請求項１記載の方法。
【請求項２３】
前記一式のイベント境界は、１又は複数のデジタル・コンテンツ・レコードの被写体又は物体を更に有し、
前記少なくとも幾つかのデジタル・コンテンツ・レコードに関連付けられたメタデータは、前記対応するデジタル・コンテンツ・レコード内の被写体又は物体の識別情報を有する被写体メタデータを更に有し、
前記メタデータ条件は、前記被写体メタデータが被写体イベント境界の範囲内にある被写体又は物体を識別することを有する、
ことを特徴とする請求項１記載の方法。
【請求項２４】
前記キャプチャ場所メタデータは、ネットワーク・アクセス・ポイントのネットワーク・アドレスを識別し、
前記地理的領域イベント境界は、特定のネットワーク・アドレスにより少なくとも部分的に定められ、
前記メタデータ条件は、前記ネットワーク・アドレスが前記特定のネットワーク・アドレスに対応することを有する、
ことを特徴とする請求項１記載の方法。
【請求項２５】
デジタル・コンテンツ・レコードを編成するシステムであって：
データ記憶システム；及び
該データ記憶システムに通信可能に接続されたコンピュータ・システム；
を有し、
該コンピュータ・システムは、少なくとも：
少なくとも幾つかのデジタル・コンテンツ・レコードは少なくともキャプチャ日時、キャプチャ場所又はキャプチャ日時及びキャプチャ場所を識別する関連付けられたメタデータを有し、少なくとも１つの該デジタル・コンテンツ・レコードはキャプチャ日時を識別する関連付けられたメタデータを有し、少なくとも１つの該デジタル・コンテンツ・レコードはキャプチャ場所を識別する関連付けられたメタデータを有する複数の該デジタル・コンテンツ・レコードを、前記データ記憶システムから受信し；
少なくとも時間範囲及び地理的領域と関連付けられた一式のイベント境界を少なくとも識別することにより、イベントを定め：
前記複数のデジタル・コンテンツ・レコードのうちのイベントに関連付けられるべきデジタル・コンテンツ・レコード（「イベント・コンテンツ・レコード」）を識別し、少なくとも幾つかのデジタル・コンテンツ・レコードはメタデータ条件を満たすので該イベント・コンテンツ・レコードとして識別され、前記メタデータ条件は対応するデジタル・コンテンツ・レコードのキャプチャ日時メタデータ及びキャプチャ場所メタデータがそれぞれ時間範囲及び地理的領域の範囲内のキャプチャ日時及びキャプチャ場所を識別することを有し；
少なくとも幾つかの前記イベント・コンテンツ・レコードを前記イベントと関連付け（「関連付けられたイベント・コンテンツ・レコード」）；及び
前記少なくとも幾つかのイベント・コンテンツ・レコードの前記イベントとの関連を識別する情報をデータ記憶システムに格納する、
ことを特徴とするシステム。
【請求項２６】
対応するデジタル・コンテンツ・レコードからの文脈情報又は内容情報に少なくとも基づき、１つの前記デジタル・コンテンツ・レコードのためのキャプチャ日時メタデータ又はキャプチャ場所メタデータを決定する段階；
を更に有する請求項１記載の方法。
【発明の詳細な説明】
【技術分野】
【０００１】
本発明は、一般にデジタル画像処理の分野に関する。特に、本発明の種々の実施例は、イベントに基づく、デジタル静止画像、デジタル・ビデオ及びデジタル・オーディオ・ファイルのようなデジタル・コンテンツ・レコードの編成に関する。
【背景技術】
【０００２】
人々の生活の中のイベントは、デジタル・イメージを保存する最も一般的な動機の１つである。イベントは、１又は複数の地理的位置で生じる有限の時間期間を有する、１又は複数の人々に共通の興味の活動である。イベントは、特に、該イベントの時間、場所又は参加者の独自の組み合わせにより定められうる。イベントは、事前に計画されるか又は自然に発生しうる。幾つかのイベントは繰り返し発生しうる。人々は、個人的に及び公の集会でキャプチャしたデジタル・コンテンツを用い、記憶を思い出し、経験を他者と共有する。複数のイベント参加者からのデジタル・コンテンツを結合することは、イベントを思い出すときにより豊富な経験を生成する。
【０００３】
現在、デジタル・カメラ、携帯電話機、ビデオ・カメラ及び他のランダム・アクセス・デジタル・キャプチャ装置によりイベントでキャプチャされたデジタル画像及びビデオは、屡々インターネットのウェブサイトを用いてイベント参加者の間で共有される。これらのウェブサイトは、オンライン・コンテンツ記憶装置、ブログ領域、デジタル画像印刷の実現、フォトアルバム、ＣＤ及びＤＶＤのようなサービスを提供する。参加者は、自身のデジタル・コンテンツをオンライン・ウェブサイトにアップロードし、該コンテンツがキャプチャされたイベントに基づき該コンテンツをコレクションに纏める。コレクションは、屡々アルバムと称され、イベント固有のウェブアドレスを有する電子メールの招待をコンテンツ所有者により指定された者達へ送信することにより、イベントに参加した他者と積極的に共有される。この種のシステムの一例は、Ｋｏｄａｋ  ＥａｓｙＳｈａｒｅ（登録商標）Ｇａｌｌｅｒｙウェブサイトである。該ウェブサイトでは、各イベント参加者の電子メール・アドレスを知らせる必要がある。デジタル・イメージを編成し共有するための上述の処理は、有用であり効率的である。このような処理は改善されうる。
【発明の概要】
【発明が解決しようとする課題】
【０００４】
本発明の種々の実施例によるイベントに基づくデジタル・コンテンツの編成のためのシステム及び方法により、上述の処理は改善され、当該分野における技術的解決策が達成される。デジタル・コンテンツをイベントにより編成することにより、デジタル・コンテンツの検索が、ユーザにとって有意義且つ論理的に達成される。
【課題を解決するための手段】
【０００５】
本発明の幾つかの実施例では、デジタル・オーディオ・ファイル、デジタル静止画像、デジタル・ビデオ等のようなデジタル・コンテンツ・レコードが受信される。デジタル・コンテンツ・レコードは、１又は複数のユーザから受信されうる。本発明の実施例によると、少なくとも幾つかのデジタル・コンテンツ・レコードは、少なくともキャプチャ日時、キャプチャ場所又はキャプチャ日時及びキャプチャ場所を識別する関連付けられたメタデータを有する。種々の実施例によると、少なくとも１つのデジタル・コンテンツ・レコードは、キャプチャ日時を識別する関連付けられたメタデータを有し、少なくとも１つのデジタル・コンテンツ・レコードは、キャプチャ場所を識別する関連付けられたメタデータを有する。
【０００６】
イベントは、少なくとも、少なくとも１つの時間範囲及び地理的領域を定める一式のイベント境界を識別することにより定められる。少なくとも時間範囲及び地理的領域によりイベント境界を定めることにより、デジタル・コンテンツを、イベントと正確に関連付けることができる。イベント境界は、１又は複数のデジタル・コンテンツ・レコードの取得者又は被写体を有しうる。これに関し、少なくとも幾つかのデジタル・コンテンツ・レコードは、対応するデジタル・コンテンツ・レコードの取得者又は被写体を識別するメタデータも有してよい。少なくとも時間範囲及び地理的領域、デジタル・コンテンツ・レコードの取得者又はデジタル・コンテンツ・レコードの被写体によりイベント境界を定めることにより、デジタル・コンテンツをイベントと明確に又は更に正確に関連付けうる。
【０００７】
本発明の幾つかの実施例によると、一式のイベント境界は、少なくともユーザ入力に基づき識別されうる。この特徴は、特に予め計画されたイベントにとって有益である。
【０００８】
本発明の幾つかの実施例によると、一式のイベント境界は、少なくともデジタル・コンテンツ・レコードと関連付けられたメタデータの検査に基づき識別されうる。この特徴は、特に予め計画されていないイベントにとって有益である。
【０００９】
これに関し、全てのデジタル・コンテンツ・レコードがキャプチャ場所メタデータに関連付けられていない本発明の実施例では、地理的領域は、少なくとも該メタデータを有するデジタル・コンテンツ・レコードと関連付けられたキャプチャ場所メタデータに基づき識別されうる。同様に、全てのデジタル・コンテンツ・レコードがキャプチャ日時メタデータに関連付けられていない本発明の実施例では、時間範囲は、少なくとも該メタデータを有するデジタル・コンテンツ・レコードと関連付けられたキャプチャ日時メタデータに基づき決定されうる。これらの特徴は、特に一部のメタデータが失われた場合にイベント境界に関する知的な決定を行う場合に有益である。
【００１０】
複数のデジタル・コンテンツ・レコードのうちの幾つかのデジタル・コンテンツ・レコードは、イベントに関連付けられるべきであると識別されうる（「イベント・コンテンツ・レコード」）。少なくとも幾つかのデジタル・コンテンツ・レコードは、メタデータ条件を満たすので、イベント・コンテンツ・レコードとして識別されてよい。メタデータ条件の一例は、対応するデジタル・コンテンツ・レコードのキャプチャ日時メタデータ及びキャプチャ場所メタデータが、それぞれ時間範囲及び地理的領域の範囲内のキャプチャ日時及びキャプチャ場所を識別することである。デジタル・コンテンツ・レコードが取得者メタデータを有する本発明の実施例では、メタデータ条件は、取得者メタデータがそれぞれ取得者イベント境界の範囲内の取得者を識別しうる。デジタル・コンテンツ・レコードが被写体メタデータを有する本発明の実施例では、メタデータ条件は、被写体メタデータが被写体イベント境界の範囲内の被写体を識別しうる。
【００１１】
少なくとも幾つかのイベント・コンテンツ・レコードはイベントに関連付けられる。また、このような関連を識別する情報は、コンピュータ・アクセス可能なメモリ・システムに格納されてよく、アクセスするために利用可能にされてよい。
【００１２】
本発明の幾つかの実施例では、追加デジタル・コンテンツ・レコードが受信されうる。少なくとも幾つかの追加デジタル・コンテンツ・レコードは、上述のようなメタデータに関連付けられている。これに関し、一式のイベント境界は、少なくとも追加デジタル・コンテンツ・レコードと関連付けられたメタデータに基づき修正されうる。これらの特徴は、より多くのメタデータが追加デジタル・コンテンツ・レコードから利用可能になるので、特により正確にイベント境界を定めるのに有益である。
【００１３】
本発明の種々の実施例によると、少なくとも１つの関連付けられたイベント・コンテンツ・レコードの要求が受信される。該要求に応答して、要求された１又は複数の関連付けられたイベント・コンテンツ・レコードは、コンピュータ・アクセス可能なメモリ・システムから検索され、送信される。該要求は、該要求を提出した要求者の識別情報を有してよい。これに関し、送信段階を実行する前に、要求者が要求した画像レコードを受信する権限を与えられているかの検証が実行されてよい。更にこれに関し、送信段階を実行する前に、要求された画像レコードに対して料金が支払われているかの検証が実行されてよい。
【００１４】
上述の検証動作と同様に、本発明の種々の実施例はセキュリティ機能を有する。例えば、本発明の幾つかの実施例は、複数のデジタル・コンテンツ・レコードの全部又は一部の受信前、受信中又は受信後に、該デジタル・コンテンツ・レコードが、許可されたユーザ、許可された取得者のような許可された情報源に由来するか又は人物若しくは物体のような特定の被写体を含むか否かの検証に関する。許可された情報源又は特定の被写体は、ユーザ入力を介して識別されうる。本発明の幾つかの実施例は、認証処理の一部として、複数のデジタル・コンテンツ・レコードと関連付けられた少なくとも幾つかのメタデータがイベント境界の範囲内のキャプチャ日時及びキャプチャ場所を記述しているかを検証する段階を有する。
【００１５】
上述の実施例に加え、更なる実施例は図面を参照し及び以下の説明を読むことにより明らかになる。
【００１６】
本発明は、以下に詳細に記載される本発明の例である実施例の詳細な説明及び関連する図面から一層理解されるだろう。
【図面の簡単な説明】
【００１７】
【図１】本発明の実施例によるイベントに基づくデジタル・コンテンツの編成の種々の方法を実施するための本発明の実施例によるシステムを示す。
【図２】本発明の実施例による予定されたイベント・アルバムの作成に関与するワークフローを示す。
【図３】本発明の実施例によるデジタル・コンテンツのアップロード及び予定されたイベントのイベント参加者の認証に関与するワークフローを示す。
【図４】本発明の実施例による例である予定されたイベント・データ入力画面を説明する、コンピュータ・ディスプレイ装置の画面の表示例を示す。
【図５】本発明の実施例によるその場限りの（ａｄ−ｈｏｃ）イベントに関与するワークフローを示す。
【図６】本発明の実施例による例であるその場限りのイベントのデータ入力画面を説明する、コンピュータ・ディスプレイ装置の画面の表示例を示す。
【図７】本発明の実施例によるイベントの地理的領域の境界がどのように定められるかを示す。  理解されるべき点は、添付の図面は本発明の概念を説明することを目的とし、実際の縮尺で描かれていない。
【発明を実施するための形態】
【００１８】
本発明の種々の実施例は、デジタル静止画像、デジタル・ビデオ及びデジタル・オーディオ・ファイルのようなデジタル・コンテンツ・レコードの編成に関する。本発明の種々の実施例によると、上述のようなデジタル・コンテンツ・レコードはイベントに基づいて編成されるので、該デジタル・コンテンツ・レコードの検索が、ユーザにとって有意義且つ論理的に達成される。これに関し、イベントは、少なくとも、例えば時間範囲、地理的領域、デジタル・コンテンツの取得者又はデジタル・コンテンツの被写体のようなイベント境界により定められてよい。イベント境界と合致すると見なされうるデジタル・コンテンツ・レコードは、イベントと関連付けられ、アクセス及び検索のために利用可能にされてよい。
【００１９】
イベント境界は、ユーザにより定められてよく、予め計画されたイベントに関連してよく；デジタル・コンテンツ・レコードの集合と関連付けられたメタデータの検査に基づき定められてよく、その場限りの又は自然発生したイベントに関連してよく；又はユーザ及びメタデータの検査の両者によって定められてよい。従って、本発明の実施例は、イベント境界の正確な決定に柔軟性及びインテリジェンスを提供し、デジタル・コンテンツが効率的且つ適正にイベントに関連付けられることを保証する。
【００２０】
更に、本発明の実施例は、例えばイベントに関連付けられるべきデジタル・コンテンツが許可された情報源に由来するかを検証することにより及びイベントに既に関連付けられたデジタル・コンテンツが許可された要求者に配信されるかを検証することにより、デジタル・コンテンツの追加、アクセス及び検索と関連するセキュリティ問題を解決する。
【００２１】
図１は、本発明の種々の実施例による方法を実行するシステム１００を示す。特に、システム１００は、例えばイベント共有コンピュータ・システム１４０にネットワーク１３０を介して通信可能に接続された、イベント主催者のコンピュータ・システム１１０及びイベント参加者のコンピュータ・システム１２０を有する。イベント共有コンピュータ・システム１４０は、本実施例によると、複数のユーザの間で共有するデジタル・コンテンツを提供する。イベント共有コンピュータ・システム１４０は、少なくとも部分的にウェブサイトとして実施されてよい。図示した特定の実施例では、イベント共有コンピュータ・システム１４０は、多くのユーザに代わってデータ記憶システム１７０にデジタル・コンテンツを格納することができる。
【００２２】
用語「コンピュータ・システム」は、複数のコンピュータが互いに通信可能に接続されるか又は接続されない場合に、１又は複数のコンピュータを包含する。用語「コンピュータ」は、デスクトップ・コンピュータ、ラップトップ・コンピュータ、メインフレーム・コンピュータ、セット・トップ・ボックス、パーソナル・デジタル・アシスタント、ブラックベリー（登録商標）、携帯電話機、デジタル・カメラ、デジタル・メディア・フレーム、ゲーム・システム、ポータブル・ゲーム・システム又はデータ処理、データ管理若しくはデータの取り扱いのための、電気、磁気、光学的若しくは生物学的構成要素等で実施された他の如何なるデータ処理装置も包含する。
【００２３】
用語「通信可能に接続された」は、有線、無線又は両方の装置間、コンピュータ間又はプログラム間のデータが通信されうる如何なる種類の接続も包含する。更に、用語「通信可能に接続された」は、単一コンピュータ内の装置間、コンピュータ間若しくはプログラム間又はそれらの間の接続、異なるコンピュータ内に存在する装置間、コンピュータ間若しくはプログラム間又はそれらの間の接続及びコンピュータ内に全く存在しない装置間の接続も包含する。これに関し、データ記憶システム１７０はイベント共有コンピュータ・システム１４０と別個に示されるが、当業者は、データ記憶システム１７０がイベント共有コンピュータ・システム１４０内に完全に又は部分的に格納されうることを理解するだろう。更にこれに関し、イベント共有コンピュータ・システム１４０のみが明示的にイベント共有コンピュータ・システム１４０に通信可能に接続されたデータ記憶システム１７０を有するが、当業者は、本願明細書で言及される如何なるコンピュータも該コンピュータに通信可能に接続されたデータ記憶システムを有しうることを理解するだろう。
【００２４】
システム１００は、多数のユーザがイベント主催者のコンピュータ・システム１１０又はイベント参加者のコンピュータ・システム１２０を介してイベント共有コンピュータ・システム１４０と通信し、イベントに関連するデジタル・コンテンツをアップロード又はアクセスすることを可能にする。図１の実施例では、家庭用プリンタ１５０、画像キャプチャ装置１６０、電子装置１７５及びマルチメディア・センタ１８０は、イベント主催者のコンピュータ・システム１１０又はイベント参加者のコンピュータ・システム１２０に接続機構１７０を通じて通信可能に接続された周辺機器である。周辺装置のように、画像キャプチャ装置１６０は、それ自体スタンドアロンのコンピュータとして動作してよく、それ自体がイベント共有コンピュータ・システム１４０に直接に通信可能に接続されてよい。或いは、このような周辺機器は、図１では別個に示されるが、コンピュータ・システム１１０、１２０に統合されてよい。Ｋｏｄａｋ  ＥａｓｙＳｈａｒｅ（登録商標）Ｏｎｅは、例として限定でなく、Ｋｏｄａｋ  ＥａｓｙＳｈａｒｅ（登録商標）Ｇａｌｌｅｒｙウェブサイトのようなイベント共有コンピュータ・システムに直接接続されうるカメラ等である。
【００２５】
図２の実施例を参照すると、フロー図２００が示される。フロー図２００は、計画されたイベントの場合に、イベント主催者のコンピュータ・システム１１０を用いるイベント主催者が、どのようにセキュリティ記述子を有するイベントをイベント共有コンピュータ・システム１４０生成できるかを説明する。段階２１０で、イベント主催者は、イベント主催者のコンピュータ・システム１１０を用いてイベント共有コンピュータ・システム１４０にアクセスしイベントを生成する。計画されたイベント生成画面（例えば図４の４００）は、イベント主催者のコンピュータ・システム１１０で表示される。イベント生成画面は、例えば、イベント境界４８０を有してよく、入力されてよい。図４の実施例では、イベント・パラメータは、イベントの名称４２０及びイベントの説明４３０を有する。イベント・パラメータは、最終的にイベントと関連付けられたデジタル・コンテンツ・レコードが共有されうるか否かの表示４６０も有してよい。
【００２６】
イベント境界（Ｅｖｅｎｔ  Ｂｏｕｎｄａｒｙ）４８０の例は、時間範囲イベント境界（ｓｐａｎ−ｏｆ−Ｔｉｍｅ）４８１、地理的領域イベント境界（Ｇｅｏｇｒａｐｈｉｃ  Ａｒｅａ）４８２、デジタル・コンテンツ境界の取得者（Ａｃｑｕｉｒｅｒ（ｓ））４８３及びデジタル・コンテンツ境界の被写体（Ｓｕｂｊｅｃｔ（ｓ））４８４を有する。時間範囲イベント境界４８１は、イベントの開始時間（Ｓｔａｒｔ  Ｔｉｍｅ）４４０及び終了時間（Ｅｎｄ  Ｔｉｍｅ）４５０により識別されうる。
【００２７】
図７は、本発明の実施例によるイベントの地理的領域の境界が例えばシステム１１０内のイベント主催者のコンピュータにより表示された場所入力画面７００でどのように定められるかを示す。本実施例では、イベント主催者は、例えば、（ａ）イベントの場所の中心及び（ｂ）該中心からの半径を指定することにより、地理的領域を指定しうる。中心位置は、例えば緯度及び経度７１０、所在地住所７２０又は場所を識別する如何なる他の技術により指定されてよい。或いは、図７では示されないが、中心は、例えば前記地球測位システム（「ＧＰＳ」）装置、携帯電話機又は位置を明らかにすることができる如何なる他の装置からリアルタイムに位置を取得することにより動的に識別されてよい。例えば、イベントの計画者は、中心はイベント共有コンピュータ・システム１４０が特定の電話番号を有する携帯電話機からの位置情報を受信するときである後の時間に識別されると指定してよい。或いは、イベントの地理的領域境界は、イベントでデジタル・キャプチャ装置により共通してアクセスされたネットワーク・アクセス・ポイントのネットワーク・アドレスを用いて識別されてよい。例えば、デジタル・キャプチャ装置は、各キャプチャした画像と共に無線アクセス・ポイントのネットワーク・アドレスを記録してよい。キャプチャした画像は、次に、ネットワーク・アドレスにより識別される同じ場所で及びほぼ同じ時間にキャプチャされたと示すメタデータを有する画像をグループ化することにより、イベントにグループ分けされうる。従来知られているＫ平均法のようなアルゴリズムは、同一の場所である範囲の回数に亘って撮られた資産を別個のイベントに分けるために用いられてよい。この段落はどのように地理的領域を定めるかの特定の例を説明するが、当業者は、カスタム・ボタン７４０の利用の可能性により示されるような、地理的領域を識別する如何なる方法が用いられてもよいことを理解するだろう。
【００２８】
図４を参照すると、デジタル・コンテンツ境界の取得者４８３は、他のイベント境界に加え、どのデジタル・コンテンツ・レコードがイベントに関連付けられるべきかを識別するイベント共有コンピュータ・システム１４０により用いられる別のツールである。デジタル・コンテンツ境界の取得者４８３は、図２の段階２１０で定められたイベントに関連付けられた特定のデジタル・コンテンツ・レコードの取得者を識別する。
【００２９】
例えば、デジタル・カメラは、該デジタル・カメラのユーザ、つまり該デジタル・カメラによりキャプチャされたデジタル画像の取得者が、該取得した画像に関連付けられたメタデータ内で識別されることを可能にする設定を有してよい。このような取得者の識別は、例えば生体スキャニング装置又はそのような情報を入力する如何なる他の方法で、取得者の名前をデジタル・カメラに手動で入力することにより生じてよい。デジタル・コンテンツ・レコードをイベントに関連付けようとするとき、イベント共有コンピュータ・システム１４０は、デジタル・コンテンツ・レコードのメタデータ内で識別された取得者を、デジタル・コンテンツ境界の取得者４８３で識別された１組の、つまり１又は複数の取得者と比較する。合致した場合及び他の「メタデータ条件」が満たされる場合には、イベント共有コンピュータ・システム１４０はデジタル・コンテンツ・レコードをイベントに関連付ける。
【００３０】
デジタル・コンテンツ境界の被写体４８４は、デジタル・コンテンツ・レコード内で識別可能な人々又は如何なる他の物体のような一組の特定の被写体を識別する。１又は複数の（用いられる個々のメタデータに依存する）特定の被写体がデジタル・コンテンツ・レコード内で識別された場合、メタデータ条件に従って、デジタル・コンテンツ・レコードは図２の段階２１０で定められたイベントに関連付けられてよい。
【００３１】
例えば、デジタル・コンテンツ境界の被写体４８４は、顔のデータにより及び声のデータにより特定の人物を識別してよい。デジタル・コンテンツ・レコードをイベントに関連付けようとするとき、イベント共有コンピュータ・システム１４０は、デジタル・コンテンツ境界４８４で識別された音声データに一致する音声パターンについてデジタル・オーディオ・ファイルを調べてよい。合致した場合及び他の「メタデータ条件」が満たされる場合には、イベント共有コンピュータ・システム１４０はデジタル・オーディオ・レコードをイベントに関連付ける。
【００３２】
同様に、イベント共有コンピュータ・システム１４０は、デジタル・コンテンツ境界４８４内で識別された音声データと一致するデジタル・ビデオ・ファイルのオーディオ成分内の音声パターンについて、デジタル・コンテンツ境界４８４内で識別された顔データと一致するデジタル・ビデオ・ファイルのビデオ成分内の顔パターンについて又はそれぞれ音声データ及び顔データと一致する音声パターン及び顔パターンの両者について、デジタル・ビデオ・ファイルを調べる。合致した場合及び他の「メタデータ条件」が満たされる場合には、イベント共有コンピュータ・システム１４０はデジタル・ビデオ・レコードをイベントに関連付ける。
【００３３】
図２を再び参照すると、次の段階２２０で、イベント共有コンピュータ・システム１４０は、段階２１０で定められたイベント・パラメータをデータ記憶システム１７０に保存してよい。段階２３０で、イベント主催者又はイベント参加者のようなユーザは、画像キャプチャ装置１６０又は他のデジタル・コンテンツ取得装置により、イベントでデジタル・コンテンツ・レコードをキャプチャする。
【００３４】
図３を参照すると、フロー図２００の続きが示される。図３は、本発明の実施例によるデジタル・コンテンツのアップロード及び計画されたイベントのイベント参加者の認証に関与するワークフローを示す。なお、図３の実施例は、デジタル・コンテンツを有さないイベント参加者又は非参加者がどのようにアップロードされたデジタル・コンテンツにアクセスしうるかを示す。
【００３５】
コンピュータ・システム（例えば図１の１００、１２０）を介してイベント共有コンピュータ・システム１４０と相互作用するユーザが、アップロードすべきデジタル・コンテンツを有する場合（決定ボックス３０５で「はい」）、段階３１０で、ユーザ、本例ではイベント参加者は、該デジタル・コンテンツ・レコードをイベント共有コンピュータ・システム１４０にアップロードする。各デジタル・コンテンツ・レコードは、限定ではなく、該デジタル・コンテンツ・レコードのキャプチャ日時、該デジタル・コンテンツ・レコードのキャプチャ場所、該デジタル・コンテンツ・レコードの取得者の識別情報又は該デジタル・コンテンツ・レコード内で識別される１若しくは複数の被写体を示す、該デジタル・コンテンツ・レコードに関連付けられたメタデータを有してよい。このようなメタデータは、キャプチャ日時メタデータのための生成日時のタイム・スタンプ、キャプチャ場所メタデータの場合はＧＰＳにより供給された位置情報、ネットワーク装置のＭＡＣアドレス、ＩＰアドレス又はキャプチャ装置へのネットワーク・アクセスを提供しうる通信可能に接続された若しくは通信可能に接続可能なネットワーク装置の場合は他のネットワーク・アドレス情報、手動入力又は取得者メタデータの場合はデジタル・コンテンツ・レコードの取得者を識別する情報の生体学的取得又は被写体メタデータの場合は従来の音声若しくは被写体認識処理技術のような従来知られている任意の技術を用いて作成されるかデジタル・コンテンツ・レコードに関連付けられてよい。
【００３６】
本発明の種々の実施例によると、デジタル・コンテンツ・レコードのメタデータは、イベント共有コンピュータ・システム１４０により段階３１０で受信された１又は複数のデジタル・コンテンツ・レコードをキャプチャする装置の代わりにコンピュータによって生成されてよい。例えば、段階３１０でアップロードされた一式のデジタル・コンテンツ・レコードは、複数のキャプチャ装置により取得されたものでよい。従って、一部の該レコードはメタデータを有し、他の該レコードは有さないかもしれない。本発明の一実施例では、イベント共有コンピュータ・システム１４０は、デジタル・コンテンツ・レコードに含まれるデジタル・コンテンツ・レコードのメタデータを調べ、補間により少なくとも一部の他のデジタル・コンテンツ・レコードのためにメタデータを生成する。例えば、段階３１０で３つのデジタル・コンテンツ・レコードがアップロードされ、１番目は「Ｘ」日の３：００ＰＭのキャプチャ日時を示し、２番目は如何なるメタデータも有さず、３番目は「Ｘ」日の３：３０ＰＭのキャプチャ日時を示す場合、キャプチャ日時メタデータは、イベント共有コンピュータ・システム１４０により２番目のレコードのために「Ｘ」日の３：１５ＰＭを指定するように生成されてよい。
【００３７】
更にこれに関し、如何なるデジタル・コンテンツ・レコードも又は少数のデジタル・コンテンツ・レコードしかメタデータを有さない場合、何のメタデータがあるべきかの知的な推定を行うために、従来知られている技術を用いて、該レコードの文脈情報又は内容が検討されてよい。例えば、限定ではなく、キャプチャ時間を決定するために、日光又は陰の長さについて画像が調べられてよい。或いは、取得者メタデータが存在しない場合には、該取得者メタデータは、段階３１０でコンテンツをアップロードした人物のユーザ名により示されてよい。別の例として、ユーザはこのようなメタデータを手動で入力するよう促されてよい。これらのメタデータ生成技術は、段階３１０でイベント共有コンピュータ・システム１４０により発生されてよく、別のコンピュータ又はコンピュータ・システムによりアップロードされる前に生じてもよい。
【００３８】
アップロード中、イベント共有コンピュータ・システム１４０は、デジタル・コンテンツ・レコードが段階３１０に関して上述されたメタデータを有するか否かを決定する。このようなメタデータが存在する場合（決定ボックス３２５で「はい」）、該メタデータは、段階３３０でデータ記憶システム１７０内のイベントを見付けるために用いられる。本例では、段階３３０で、本発明の実施例によると、デジタル・コンテンツ・レコード・メタデータは、メタデータ条件に対して評価され、どの１又は複数のイベントが、存在する場合には該レコードに関連付けられうるかを決定する。
【００３９】
メタデータ条件は、どのデジタル・コンテンツ・レコードがどのイベントに関連付けられうるかを識別することを実現し、予め定められるか又は例えば図４に示されるようなユーザ・インタフェースを介してユーザにより指定されてよい。メタデータ条件は、デジタル・コンテンツ・レコードのメタデータを段階２１０で識別されたイベント境界と比較することを有してよい。例えば、メタデータ条件は、デジタル・コンテンツ・レコードのキャプチャ日時メタデータ及びキャプチャ場所メタデータが、それぞれ時間範囲イベント境界及び地理的領域イベント境界の範囲内のキャプチャ日時及びキャプチャ場所を識別することである。このようなメタデータ条件は、時間−空間的に一義的な場所を識別し、またイベントを一義的に識別するためにも用いられてよい。メタデータ条件は、デジタル・コンテンツ・レコードのキャプチャ日時メタデータ及び被写体メタデータが、それぞれ時間範囲イベント境界及び被写体イベント境界の範囲内のキャプチャ日時及び１又は複数の被写体を識別することであってよい。物体は１つの時間に１つの場所にしか存在できないので、この種のメタデータ条件は、時間−空間的に一義的な場所を識別し、またイベントを一義的に識別するためにも用いられてよい。
【００４０】
留意すべき点は、メタデータ条件が、デジタル・コンテンツ・レコード・メタデータにより識別されるデータの値がイベント境界の範囲内に包含されることを必要としないこと、個々のデジタル・コンテンツ・レコード毎にメタデータをイベント境界と比較することを必要としないことである。例えば、メタデータ条件は、全てのデジタル・コンテンツ・レコードの内の特定の割合のキャプチャ日時メタデータが時間範囲イベント境界の範囲内に包含されること、如何なるキャプチャ日時メタデータも時間範囲イベント境界の範囲外の特定の期間を超えないことを指定してよい。例えば、時間範囲境界が特定の日曜日の３：００ＰＭと６：００ＰＭの間である場合、メタデータ条件は、全てのデジタル・コンテンツ・レコードの内の７０％より多いキャプチャ日時メタデータが該日曜日の３：００ＰＭから６：００ＰＭまでの間の時間範囲イベント境界の時間を指定すること、如何なるキャプチャ日時メタデータも該イベント境界より３０分前若しくは後の時間を指定しないことを要求してよい。４つのデジタル・コンテンツ・レコードがアップロードされ、各デジタル・コンテンツ・レコードがそれぞれ該日曜日の５：４５ＰＭ、５：５３ＰＭ、５：５９ＰＭ及び６：０８ＰＭの時間を識別するキャプチャ日時メタデータを有する場合、このメタデータ条件は満たされるだろう。特に、７５％のレコードが時間範囲イベント境界の範囲内のキャプチャ日時を指定し、如何なるレコードも２：３０ＰＭより前又は６：３０ＰＭより後の日時を指定しない。
【００４１】
段階３３０で１又は複数のイベントが識別された後、イベント参加者（つまり、アップロードされたデジタル・コンテンツ・レコードの情報源）は、決定ボックス３６０で検証される。段階３６０における検証処理の一部は、参加者がイベント共有コンピュータ・システム１４０にアクセスするための料金を支払っていることを保証することであってよい。イベント参加者が認証された場合、決定ボックス３６０で「はい」の場合、段階３６５で、イベント参加者は彼らのアップロードされたデジタル・コンテンツのうちの該イベント参加者が望むものを選択し、他の参加者と共有してもよい。共有のために選択されなかったコンテンツは、ユーザのプライベート領域に置かれうる。
【００４２】
段階３７０で、本発明の実施例によると、選択されたイベントに関連付けられるべきデジタル・コンテンツ・レコードが１又は複数のイベント境界の範囲外のメタデータ情報を有する場合、該イベント境界は修正される。例えば、選択されたイベントの時間範囲境界が特定の日曜日の３：００ＰＭと６：００ＰＭの間であり、該イベントに関連付けられるべきデジタル・コンテンツ・レコードがそれぞれ５：４５ＰＭ、５：５３ＰＭ、５：５９ＰＭ及び６：０８ＰＭの時間を識別するキャプチャ日時メタデータを有する場合、段階３７０で、時間範囲イベント境界は３：００ＰＭから６：０８ＰＭまでに拡張されてよい。段階３７５で、デジタル・コンテンツ・レコードと選択されたイベントとの間の関連は、任意的にアルバムとして格納され、該関連へのアクセスが提供される。
【００４３】
段階３２５で、段階３１０でアップロードされたデジタル・コンテンツ・レコードがメタデータを有さない又は該レコードをイベントと関連付けるための十分なメタデータを有さないと決定された場合、段階３３５で、該レコードをアップロードしたユーザはイベントを手動で識別するよう促されてよい。段階３３５で、イベント共有コンピュータ・システム１４０は入力されたデータを用いてイベントを見付け、段階３４０で、イベント主催者にユーザを認証するよう要求を送信してよい。イベント主催者がユーザを認証した場合、つまり決定ボックス３５０で「はい」の場合、段階３５５で、該ユーザはアクセスを許可される。
【００４４】
図５の実施例を参照すると、フロー図５００が示される。フロー図５００は、自然発生イベント又はその場限りのイベントの場合に、イベント参加者のコンピュータ・システム１２０を用いるイベント主催者が、どのようにイベント及びイベントのデジタル・コンテンツを有する関連するアルバムをイベント共有コンピュータ・システム１４０に生成できるかを説明する。段階５１０で、イベント主催者又はイベント参加者のようなユーザは、デジタル・コンテンツ・レコードを、イベントで画像キャプチャ装置１６０又は他のデジタル・コンテンツ取得装置によりキャプチャする。段階５２０で、１１０又は１２０のようなコンピュータ・システムを用いて、ユーザはデジタル・コンテンツをイベント共有コンピュータ・システム１４０にアップロードする。
【００４５】
図３の段階３１０に関連して上述したように、段階５２０でアップロードされた一部の又は全てのデジタル・コンテンツ・レコードは、自身に関連付けられたメタデータを有するか、自身のために生成されたメタデータを有してよい。これに関し、段階５３０で、１又は複数のイベントがどのアップロードされたデジタル・コンテンツ・レコードに関連付けられうるかを識別する試みにおいて、イベント共有コンピュータ・システム１４０は、上述のようにメタデータをデータ記憶システム１７０内の識別された各イベントに関連付けられたメタデータ条件に関して評価する。
【００４６】
段階５４０で１又は複数のイベントが識別された場合（決定ボックス５４０で「はい」）、ユーザは段階５４０で識別されたアップロードされたデジタル・コンテンツ・レコードが関連付けられるべき１又は複数のイベントの選択を促されてよい（図７に示されない）。他方で、デジタル・コンテンツ・レコードはユーザに促すことなく段階５４０で識別された全てのイベントに関連付けられてもよい。段階５５０で、ユーザ、つまり段階５２０でアップロードされたデジタル・コンテンツ・レコードの情報源は、該ユーザがアップロードされたコンテンツを選択したイベントに関連付けできることを保証するよう認証される。段階５５０で認証が成功した場合、段階５６０で、ユーザは、もしあればどのアップロードされたデジタル・コンテンツ・レコードが選択されたイベントに関連付けられるべきか、又は選択されたイベントと関連付けられ他者と共有されるべきかを選択してよい。
【００４７】
段階５４０で如何なるイベントも識別されなかった場合、イベント参加者は、新たなイベントを生成し、イベント境界条件を指定してよい。例えば、段階５８０で、イベント共有コンピュータ・システム１４０は、図６のその場限りのイベントの生成画面６１０を、例えばイベント参加者のコンピュータ・システム１２０に表示してよい。図６に示した特定の実施例では、上述のようにユーザはイベント境界を有しうるイベント・パラメータを指定する機会を有する。イベント・パラメータは、イベントの名称（Ｅｖｅｎｔ  Ｎａｍｅ）６２０及びイベントの説明（Ｅｖｅｎｔ  Ｄｅｓｃｒｉｐｔｉｏｎ）６３０を有する。イベント・パラメータは、最終的にイベントと関連付けられたデジタル・コンテンツ・レコードが共有されうるか否かの表示（Ｓｈａｒｅｄ  Ｅｖｅｎｔ）６６０も有してよい。閲覧範囲（Ｖｉｓｉｂｉｌｉｔｙ）ボックス６７０は、このようなデジタル・コンテンツ・レコードがどのように共有されるべきかの更なる微調整を可能にする。特に、本実施例では、ボックス６６０の選択により示されるようにデジタル・コンテンツ・レコードが共有される場合には、該レコードは点６７２の選択により公的に共有されるか、点６７４の選択により私的に共有されてよい。公的な閲覧範囲は非参加者がイベント・コンテンツにアクセスすることを許可し、私的な閲覧範囲は参加者のみがデジタル・コンテンツ・レコードにアクセスすることを許可してよい。閲覧範囲が私的である場合、ユーザはどの参加者がデジタル・コンテンツ・レコードにアクセスを許可されるかを決定するための基準を指定してよい。更に、ユーザは、どのデジタル・コンテンツ・レコードがこのイベントに関連付けられうるかを定めるために、ボックス６８０で前述したようにイベント境界を指定してよい。
【００４８】
イベント参加者により入力されたイベント・データを用い、オンラインの共有コンピュータ・システム１４０は、新たなその場限りのイベントを生成し、段階５８０を終了する。次に、段階５６０で、ユーザは、もしあればどのアップロードされたデジタル・コンテンツ・レコードが新たなイベントに関連付けられるべきか、又は新たなイベントと関連付けられ他者と共有されるべきかを選択してよい。
【００４９】
段階５７０で、１又は複数のイベントに関連付けられるべきデジタル・コンテンツ・レコードは関連付けられ、このような関連はデータ記憶システム１７０に格納されてよい。
【００５０】
図３の段階３７０と同様に、段階５８５で、本発明の実施例によると、１又は複数のイベントに関連付けられたデジタル・コンテンツ・レコードが１又は複数のイベント境界の範囲外のメタデータ情報を有する場合、該イベント境界は修正される。段階５９０で、ユーザは、セキュリティ設定に従って他の参加者からの共有されたイベント・コンテンツと同様に該ユーザの共有されたイベント・コンテンツにアクセスしてよい。
【００５１】
理解されるべき点は、例である実施例は単に本発明の説明のためであること、上述の実施例の多くの変形が本発明の範囲から逸脱することなく当業者により考案されうることである。例えば、図面に示されたワークフローは特定の段階の順序を示すが、当業者は、本発明がそのような特定の順序に限定されないこと、幾つかの段階はワークフロー内の異なる場所で生じうることを理解するだろう。例えば、図３及び５は、それぞれ、段階３１０及び５２０におけるデジタル・コンテンツ・レコードのアップロードの後にそれぞれユーザ認証段階３６０及び５６０を示す。しかしながら、当業者は、本発明の他の実施例によるワークフローが該ワークフローの種々の異なる時間にユーザ認証を実行しうることを理解するだろう。別の例では、図３及び５は、それぞれ、段階３６５及び５６０においてユーザが該ユーザ自身のコンテンツをアップロードし共有したのちに、段階３５５及び５９０においてユーザが共有されたイベント・コンテンツにアクセス可能なことを示す。しかしながら、当業者は、本発明の他の実施例によるワークフローが、ユーザが、該ユーザ自身のコンテンツを共有する前に又は該ユーザ自身のコンテンツを共有することなく、共有されたイベント・コンテンツにアクセスを許可されうることを理解するだろう。更に、本願明細書で用いた例は、所望のデジタル・コンテンツ・レコードへのアクセス及びイベント共有コンピュータ・システムへのアクセスのための料金を課金することを議論したが、当業者は、料金がデジタル・コンテンツ・レコードの送信だけではなく、任意の情報送信に対しても課金されうることを理解するだろう。例えば、本願明細書に記載された画像レコードは関連付けられたメタデータを有し、ユーザは該メタデータへのアクセスに対して課金されてよい。従って、このような全ての変形は添付の特許請求の範囲及びその等価物の範囲内に包含される。
【符号の説明】
【００５２】
１００  システム
１０７  データ記憶システム
１１０  イベント主催者のコンピュータ・システム
１２０  イベント参加者のコンピュータ・システム
１３０  ネットワーク
１４０  イベント共有ウェブサイト
１５０  家庭用プリンタ
１７０  接続
１７５  電子装置
１８０  マルチメディア・センタ
２００、３００、５００  フロー図
２１０〜２３０、３１０、３３０〜３４０、３５５、３６５〜３７５、５１０〜５３０、５５０〜５９０  段階
３０５、３２５、３５０、３６０、５４０  決定ボックス
４００、６００、７００  画面
４２０〜４５０、６２０、６３０  テキスト・ボックス
４６０、４８１〜４８４、６６０  チェック・ボックス
４８０、６７０、６８０〜７３０  グループ・ボックス
６７２、６７４  ラジオ・ボタン
７４０  ボタン
【図１】
2010528352.tif 000003
【図２】
2010528352.tif 000004
【図３】
2010528352.tif 000005
【図４】
2010528352.tif 000006
【図５】
2010528352.tif 000007
【図６】
2010528352.tif 000008
【図７】
2010528352.tif 000009
【国際調査報告】
2010528352.tif 000010
2010528352.tif 000011
2010528352.tif 000012